(57)【要約】【課題】  ユーザニーズ等に対応して円滑にソフトウエアを更新することが可能な画像処理装置を提供する。【解決手段】  ソフトウエアに従って画像処理を行う画像処理装置１００において、バージョンの異なる複数のソフトウエアを保持するソフトウエア格納部２と、ソフトウエアの入れ替えを指示する制御部１とを備え、制御部１からの指示に従って、画像処理の動作対象とするソフトウエアを他のバージョンのソフトウエアに入れ替える。制御部１は、変更したソフトウエアが連続して複数回不具合を生じた際に、画像処理の動作対象とするソフトウエアを元のバージョンのソフトウエアに入れ替える。【選択図】      図１
2007052666.tif 000002
【特許請求の範囲】
【請求項１】
ソフトウエアに従って画像処理を行う画像処理装置において、
バージョンの異なる複数のソフトウエアを保持する保持手段と、ソフトウエアの入れ替えを指示する指示手段とを備え、該指示手段からの指示に従って、前記画像処理の動作対象とするソフトウエアを他のバージョンのソフトウエアに入れ替えることを特徴とする画像処理装置。
【請求項２】
前記指示手段は、入れ替えた他のバージョンのソフトウエアの不具合を検出する不具合検出手段と、該不具合検出手段によって検出された不具合が連続する回数を検出する不具合連続回数検出手段と、該不具合連続回数が所定回数を上回る場合、入れ替えた前記ソフトウエアを元のバージョンのソフトウエアに戻す指示を生成する指示生成手段と、を備えることを特徴とする請求項１に記載の画像処理装置。
【請求項３】
前記指示手段は、指示を入力する指示入力手段と、該指示入力手段から入力された指示に基づき、前記保持手段に保持されている各バージョンのソフトウエアのうちから、指示されたソフトウエアを削除するソフトウエア削除手段と、を備えることを特徴とする請求項１又は請求項２に記載の画像処理装置。
【請求項４】
前記指示手段は、前記画像処理の動作対象とする他のバージョンのソフトウエアの入れ替え後に、所定時間経過後もしくは所定ジョブ数の実行後に、前記保持手段に保持されている元のバージョンのソフトウエアを削除することを特徴とする請求項１又は請求項２に記載の画像処理装置。
【請求項５】
前記指示手段は、前記画像処理の動作対象であるソフトウエアに対する他のソフトウエアの入れ替えをファイル単位に応じて行うことを特徴とする請求項１から４のいずれか１項に記載の画像処理装置。
【請求項６】
前記指示手段は、前記画像処理の動作対象であるソフトウエアに対する他のソフトウエアの入れ替えを元のバージョンのソフトウエアと他のバージョンのソフトウエアとの依存関係に応じて行うことを特徴とする請求項１から４のいずれか１項に記載の画像処理装置。
【発明の詳細な説明】
【技術分野】
【０００１】
本発明は、画像データに各種の処理を施す画像処理装置に関する。
【背景技術】
【０００２】
一般に、読み取った画像のデータを処理する画像処理装置には、画像データに各種の処理を施すためのソフトウエアが組み込まれている。そして、制御部は、このソフトウエアを引き出し、このソフトウエアをユーザからの指示にしたがって実行させて画像データを処理する。
近年では、画像処理装置に組み込まれたソフトウエアを最新版のものに更新し、画像処理機能や操作性の向上を図ることが行われている。
ここで、ソフトウエアを更新する技術としては、複数の制御部用のソフトウエアを一括してダウンロードする技術（例えば、特許文献１参照）、諸元情報を元にダウンロードを行うことにより、効率良くバージョンアップを行う技術（例えば、特許文献２参照）あるいは自動的にバージョンアップするとともに、ＣＤ−ＲＷなどの記憶媒体に最新バージョンのソフトウエアを保持しておく技術（例えば特許文献３参照）などがある。
【０００３】
【特許文献１】特開平１１−３５３１３６号公報
【特許文献２】特開２００１−２２２４８１号公報
【特許文献３】特開２００２−２４４８３２号公報
【発明の開示】
【発明が解決しようとする課題】
【０００４】
ところで、ユーザニーズの多様化により、ソフトウエアは、常に最新のものが良いとは限らず、バージョンアップしたものの、外部システムとの関係などから、以前のバージョンのソフトウエアの方が都合の良い場合もある。
また、最新バージョンのソフトウエアに更新したために、操作の仕方が変更されるような場合には、使い勝手の上から以前のソフトウエアを継続して使用したいということもある。
さらには、最新バージョンのソフトウエアによる処理に不具合が生じたような場合などには、以前のものに戻した方が良い場合もある。
したがって、ソフトウエアを更新する際には、ユーザニーズ等に対応して行う必要があった。
【０００５】
本発明は、上記事情に鑑みてなされたもので、ユーザニーズ等に対応して円滑にソフトウエアを更新することが可能な画像処理装置を提供することを目的としている。
【課題を解決するための手段】
【０００６】
上記目的を達成するために、本発明は、ソフトウエアに従って画像処理を行う画像処理装置において、バージョンの異なる複数のソフトウエアを保持する保持手段と、ソフトウエアの入れ替えを指示する指示手段とを備え、該指示手段からの指示に従って、前記画像処理の動作対象とするソフトウエアを他のバージョンのソフトウエアに入れ替えることを特徴とする画像処理装置を提供する。
【０００７】
この画像処理装置によれば、例えば、類似の機能を提供する異なるソフトウエアを複数管理することで、動作対象のソフトウエアの入れ替えを容易に行うことができる。しかも、ソフトウエアのバージョンアップあるいはバージョンダウンを自動的に行うことにより、その処理時間を大幅に短縮することができる。
【０００８】
また、本発明の画像処理装置は、その好適な態様として、前記指示手段は、入れ替えた他のバージョンのソフトウエアの不具合を検出する不具合検出手段と、該不具合検出手段によって検出された不具合が連続する回数を検出する不具合連続回数検出手段と、該不具合連続回数が所定回数を上回る場合、入れ替えた前記ソフトウエアを元のバージョンのソフトウエアに戻す指示を生成する指示生成手段と、を備えることを特徴とする。
これにより、ソフトウエアの入れ替えにより、起動の不能、処理の遅延などの不具合の回数が連続して所定回数を上回った場合に、ソフトウエアを元のバージョンに戻して不具合をなくすことができる。
【０００９】
また、本発明の画像処理装置は、その好適な態様として、前記指示手段は、指示を入力する指示入力手段と、該指示入力手段から入力された指示に基づき、前記保持手段に保持されている各バージョンのソフトウエアのうちから、指示されたソフトウエアを削除するソフトウエア削除手段と、を備えることを特徴とする。
これにより、バージョンアップによって加わった新規機能が不要である場合や、使い勝手が悪いなどの不具合を生じた場合、ユーザの意志によりソフトウエアを元のバージョンに戻して不要な機能を削除することができる。
【００１０】
また、本発明の画像処理装置は、その好適な態様として、前記指示手段は、前記画像処理の動作対象とするソフトウエアの入れ替え後に、所定時間経過後もしくは所定ジョブ数の実行後に、前記保持手段に保持されている他のバージョンのソフトウエアを削除することを特徴とする。
このように、入れ替え後に、所定時間経過後もしくは所定ジョブ数の実行後に他のバージョンのソフトウエアを削除することにより、入れ替えたソフトウエアによる確実な動作を確保することができるとともに、保持手段における記憶容量の増大をなくすことができる。
【００１１】
また、本発明の画像処理装置は、その好適な態様として、前記指示手段は、前記画像処理の動作対象であるソフトウエアに対する他のソフトウエアの入れ替えをファイル単位に応じて行うことを特徴とする。
さらに、本発明の画像処理装置は、その好適な態様として、前記指示手段は、前記画像処理の動作対象であるソフトウエアに対する他のソフトウエアの入れ替えを元のバージョンのソフトウエアと他のバージョンのソフトウエアとの依存関係に応じて行うことを特徴とする。
このように、ソフトウエアの入れ替えをファイル単位もしくは依存関係に応じて行うことにより、ソフトウエアの入れ替えを容易にかつ確実に行うことができ、入れ替え後における円滑な動作を確保することができる。
【発明の効果】
【００１２】
本発明の画像処理装置によれば、例えば、類似の機能を提供する異なるソフトウエアを複数管理することで、動作対象のソフトウエアの入れ替えを容易に行うことができる。しかも、ソフトウエアのバージョンアップあるいはバージョンダウンを自動的に行うことにより、その処理時間をユーザの手作業によるアップデートの処理時間に比べて、その時間を大幅に短縮することができる。
【発明を実施するための最良の形態】
【００１３】
以下、本発明に係る画像処理装置の実施形態について図面を参照して説明する。
図１は、本発明の実施形態に係る画像処理装置１００を示すブロック図である。
図に示すように、本実施形態の画像処理装置１００は、制御部１と、ソフトウエア格納部２と、操作部３と、表示部４と、印刷部５と、ネットワークインターフェース６と、ＵＳＢインターフェース７とを備えている。
【００１４】
ソフトウエア格納部（保持手段）２は、ハードディスクあるいは外部メモリ（ＵＳＢメモリあるいはＣＤ−ＲＷなど）の不揮発性メモリからなり、画像処理に用いる各種のソフトウエアを格納している。このソフトウエア格納部２に格納された各ソフトウエアは、機能毎に独立したファイルで構成され、機能毎にどのファイルを使用するかが選択可能とされている。なお、このソフトウエア格納部２に格納されている各ソフトウエアは、ソフトウエアのダウンロード後または画像処理装置１００の電源オンまたは再起動時に選択して切り替えることができるようになっている。
【００１５】
操作部３は、マウスやキーボード等を備え、ユーザからの指示を受ける。ユーザは、操作部３を用いて、画像処理や画像形成の指示をすることができる。
表示部４は、例えば、液晶ディスプレイ等からなるもので、読み込んだ画像、処理した画像及び操作指示などを表示する。
印刷部５は、図示せぬ感光体、露光部、現像部、転写部及び定着部等を備え、画像データに基づいたトナー像を形成し、記録材である用紙上に定着させる。
【００１６】
制御部（指示手段）１は、操作部３を用いたユーザからの指示に基づいて、ソフトウエア格納部２に格納されているソフトウエアから、処理の機能に対応したソフトウエアを選択して引き出し、そのソフトウエアによって画像データに画像処理を施し、その画像を表示部４に表示させたり、印刷部５によって画像を印刷させる。
上記構造の画像処理装置１００は、ネットワークインターフェース６を介してインターネット８に接続され、インターネット回線を通して、外部のサーバ９と通信可能とされている。
【００１７】
また、画像処理装置１００は、ＵＳＢインターフェース７を介してＣＤ−ＲＯＭドライブ１０が接続されており、このＣＤ−ＲＯＭドライブ１０にて、外部メディアであるＣＤーＲＯＭの読み込みが可能とされている。なお、このＵＳＢインターフェース７には、パーソナルコンピュータも接続可能であり、パーソナルコンピュータから各種のソフトウエアの取り込みも可能とされている。
【００１８】
ここで、上記画像処理装置１００では、動作対象のソフトウエアの不具合の解消あるいは新たな機能の追加のために、バージョンアップ処理が行われる。
なお、新たな機能としては、画像のネットワーク送信の際に用いる新たなプロトコルの追加、表示部４における選択画面の追加、画像処理機能の追加、画像フォーマットメニュー（ＪＰＥＧ、ＰＤＦなど）の追加、操作機能の追加などがある。
【００１９】
次に、上記画像処理装置１００におけるソフトウエアのバージョンアップについて説明する。
【００２０】
（ソフトウエアのダウンロード）
画像処理装置１００の管理者（或いは利用者）によってバージョンアップ用のソフトウエアがダウンロードされると、このソフトウエアがソフトウエア格納部２に格納される。
図２は、ソフトウエア格納部２における領域を示すもので、このソフトウエア格納部２は、ダウンローダが格納されているダウンローダ領域２ａ、オペレーションソフト（ＯＳ）が格納されているオペレーションソフト領域２ｂ、アプリケーションソフト（Ａｐｐｓ）が格納されているアプリケーションソフト領域２ｃの他に、バージョンの異なる複数のソフトウエアを格納するソフトウエア領域（New Version領域）２ｄを有している。
【００２１】
ここで、ソフトウエアは、画像処理装置１００の通常起動中、つまり通常のサービスであるコピー、ファックスあるいは印刷などの実行可能状態にて、インターネット８を介してソフトウエアの提供側のサーバから取得したり、ＣＤ−ＲＯＭ１０やパーソナルコンピュータから直接ダウンロードされる。
そして、このようにしてダウンロードされたソフトウエアは、ソフトウエア格納部２のソフトウエア領域２ｄに保持される。
【００２２】
（ソフトウエアのインストール）
ソフトウエアのダウンロードにより更新された起動ファイル情報の更新後に、画像処理装置１００を再起動すると、制御部１によってソフトウエアのインストールが開始される。これにより、画像処理の動作対象とするソフトウエアがバージョンの異なる新たなソフトウエアに入れ替わる。
また、画像処理装置１００は、操作部３を構成するキーボードの特定のキーを押下しながら画像処理装置１００の電源を入れることにより、インストール処理のみを行う特殊な状態となり、インストールが開始される。このインストール方法は、例えば、画像処理装置１００のオペレーションソフトが起動しなくなったときなどの特殊な状況下にて、緊急にインストールするための方法である。この方法によって画像処理装置１００は、ソフトウエア格納部２における通常の画像処理に用いるソフトウエアとは別の領域に保持されている起動ソフトウエアにて実行される。
【００２３】
制御部１は、画像処理の動作対象であるソフトウエアに対する新たなソフトウエアの入れ替えを各機能毎に独立したファイル単位で行う。
つまり、ソフトウエアは、コピーアプリケーション、ＦＡＸ送信アプリケーション、ＦＡＸ受信アプリケーションなどを構成するファイルがファイル単位で管理され、各ファイルには、バージョン情報が保持される。具体的には、例えば、コピーアプリケーションでは、Ｖｅｒ１．０１．１０（○月○日更新）、Ｖｅｒ１．０１．９（×月×日更新）といったバージョン情報が保持される。
したがって、制御部１は、ソフトウエアの各ファイルを、ダウンロードした新たなソフトウエアのファイルを動作対象とすることにより、インストールを行う。
【００２４】
（ソフトウエアの管理）
ここで、制御部１は、新たなバージョンに入れ替えた動作対象のソフトウエアの不具合を検出する不具合検出手段と、該不具合検出手段によって検出された不具合が連続する回数を検出する不具合連続回数検出手段と、該不具合連続回数が所定回数を上回る場合、入れ替えた前記ソフトウエアを元のバージョンのソフトウエアに戻す指示を生成する指示生成手段と備える。不具合が複数回連続して起動しないなどの不具合が生じた際に、この動作対象としたソフトウエアの不具合を生じたファイルを特定する。
次いで、制御部１は、この特定したファイルを、ソフトウエア格納部２のソフトウエア格納領域２ｄに保持されている旧バージョンのファイルに入れ替える。
【００２５】
ただし、制御部１は、この入れ替え対象となったファイルと依存関係があり、この入れ替え対象のファイルとともにセットで入れ替えなければ起動上支障が生じるファイルについては、不具合がなくても入れ替え対象のファイルとして旧バージョンのファイルに入れ替える。
ここで、不具合が発生した時のエラーコード情報には、どのファイルで発生した不具合かが判断できる情報が入れられている。これにより、制御部１は、エラーコード情報に基づいて、不具合を生じたファイルを特定することができる。
なお、制御部１は、不具合があったファイルのバージョンを記憶しておき、以降のバージョンアップ時に、そのファイルが不具合を生じたことを表示部４に表示させて警告することもできる。
【００２６】
また、制御部１は、動作対象のソフトウエアを新たなバージョンのソフトウエアに入れ替えた後に、所定タイミングにて、ソフトウエア格納部２のソフトウエア格納領域２ｄに保持されている古いバージョンのソフトウエアを自動的に削除する。
ここで、所定のタイミングとしては、ソフトウエアの入れ替え後における、所定時間経過後（あるいは、所定通電時間経過後）もしくは所定ジョブ数の実行後とすることができる。
なお、ソフトウエアは、バージョンアップの際に更新した全てのファイルが日付と時刻とを単位とした１セットとして記憶され、制御部１は、セット単位でソフトウエアの削除を行う。
【００２７】
なお、動作対象のソフトウエアの入れ替え、指定バージョンのソフトウエアの削除、非動作対象のバージョンのソフトウエアの削除等は、画像処理装置１００の操作部３から管理者によって入力指示することができる。
つまり、動作対象のソフトウエアの入れ替え、指定バージョンのソフトウエアの削除、非動作対象のバージョンのソフトウエアの削除等の指示が管理者によって操作部３から入力されると、制御部１は、その指示にしたがって、動作対象のソフトウエアの入れ替え、指定バージョンのソフトウエアの削除、非動作対象のバージョンのソフトウエアの削除等を行う。
【００２８】
具体的には、動作対象のソフトウエアの入れ替えが指示されると、制御部１は、ソフトウエア格納部２のソフトウエア格納領域２ｄに保持されている各バージョンのソフトウエアから指定されたソフトウエアを選択し、動作対象のソフトウエアを選択したソフトウエアに入れ替える。
また、ソフトウエアの削除が指示されると、制御部１は、ソフトウエア格納部２のソフトウエア格納領域２ｄに保持されている各バージョンのソフトウエアのうちの削除指示されたものを削除する。
【００２９】
以上、説明したように、本実施形態に係る画像処理装置によれば、例えば、類似した機能（コピー、ファックスあるいは印刷など）を提供する異なるソフトウエアを複数管理することで、動作対象のソフトウエアの入れ替えを容易に行うことができ、よって、ソフトウエアのバージョンアップあるいはバージョンダウンを短時間にて容易に行うことができる。
また、バージョンアップによって加わった新規機能が不要である場合や、起動の不能、処理の遅延、使い勝手の悪化などの不具合を生じた場合に、バージョンアップしたソフトウエアを元のバージョンに戻して不要な機能を削除したり不具合をなくすことができる。
【図面の簡単な説明】
【００３０】
【図１】本発明の実施形態に係る画像処理装置を示すブロック図である。
【図２】ソフトウエア格納部における領域を説明する図である。
【符号の説明】
【００３１】
１…制御部（指示手段）、２…ソフトウエア格納部（保持手段）、１００…画像処理装置。
【図１】
2007052666.tif 000003
【図２】
2007052666.tif 000004